(57)【要約】【課題】操作部材の形状を複雑にすることなく、操作部材を仮係止位置と嵌合位置の両方において適正な力で保持できるようにする。【解決手段】ハウジング１０には仮係止用ストッパ２１と本係止用ストッパ２４が形成され、スライドレバー２５（操作部材）には、仮係止用接触面３５と本係止用接触面３６とを有する単一の引掛部３３が形成され、仮係止用接触面３５は、スライドレバー２５のスライド方向に対して鋭角をなし、仮係止用ストッパ２１と接触することで仮係止位置のスライドレバー２５がハウジング１０から離脱する方向へ移動するのを規制し、本係止用接触面３６は、スライドレバー２５のスライド方向に対して鈍角をなし、本係止用ストッパ２４に対してセミロック状態で接触することで本係止位置のスライドレバー２５が仮係止位置側へ移動するのを抑制する。【選択図】図４
2020102334.tif 000002
【特許請求の範囲】
【請求項１】
ハウジングと、
前記ハウジングに対しスライドさせながら取り付けられ、取付け経路において仮係止位置と前記仮係止位置よりも取付け方向前方の本係止位置との間でスライド可能な操作部材とを備え、
前記ハウジングには、仮係止用ストッパと本係止用ストッパが形成され、
前記操作部材には、仮係止用接触面と本係止用接触面とを有する単一の引掛部が形成され、
前記仮係止用接触面は、前記操作部材のスライド方向に対して鋭角をなし、前記仮係止用ストッパと接触することで前記仮係止位置の前記操作部材が前記ハウジングから離脱する方向へ移動するのを規制し、
前記本係止用接触面は、前記操作部材のスライド方向に対して鈍角をなし、前記本係止用ストッパに対してセミロック状態で接触することで前記本係止位置の前記操作部材が前記仮係止位置側へ移動するのを抑制することを特徴とするコネクタ。
【請求項２】
前記仮係止用ストッパが、前記操作部材のスライド方向に対して鈍角をなし、前記仮係止用接触面に対して面当たり状態で接触可能であることを特徴とする請求項１記載のコネクタ。
【請求項３】
前記引掛部が、前記操作部材のスライド方向と交差する方向へ突出した形状をなし、
前記ハウジングには、内面に前記仮係止用ストッパを有する仮係止用凹部と、内面に前記本係止用ストッパを有する本係止用凹部とが形成されていることを特徴とする請求項１又は請求項２記載のコネクタ。
【請求項４】
前記本係止用接触面が、前記引掛部の突出方向において前記仮係止用接触面よりも突出方向先端側に配されており、
前記ハウジングにおける前記操作部材との対向面のうち前記仮係止用凹部と前記本係止用凹部との間の領域は、前記操作部材における前記引掛部の形成面に対して移動許容空間を空けて対向していることを特徴とする請求項３記載のコネクタ。
【請求項５】
前記操作部材が、前記取付け経路において前記仮係止位置と前記本係止位置との間でスライドすることで倍力機能を発揮するスライドレバーであることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、倍力機構を備えたコネクタが開示されている。このコネクタは、倍力機能を発揮するスライドレバーを嵌込側ハウジングに取り付けて構成されている。スライドレバーのカム溝に待受側ハウジングのカムフォロアを摺動させた状態で、スライドレバーを初期位置から嵌合位置へスライドさせると、倍力機能が発揮され、小さい操作力で待受側ハウジングと嵌込側ハウジングが嵌合される。両ハウジングが嵌合した状態においてスライドレバーを嵌合位置から初期位置へ移動させると、小さい操作力で待受側ハウジングと嵌込側ハウジングが離脱される。
【０００３】
スライドレバーには、スライドレバーを初期位置と嵌合位置に保持するための突起が形成されている。嵌込側ハウジングには、離脱規制用ストッパと嵌合状態保持用ストッパとが形成されている。初期位置のスライドレバーは、突起を離脱規制用ストッパに係止させることにより、嵌込側ハウジングから離脱する方向（嵌合位置側とは反対側）への移動を規制される。嵌合位置のスライドレバーは、突起を嵌合状態保持用ストッパに係止させることにより、初期位置側への移動を規制された状態に保持される。
【先行技術文献】
【特許文献】
【０００４】
【特許文献１】特開２０１７−１５７５０３号公報
【発明の概要】
【発明が解決しようとする課題】
【０００５】
スライドレバーが嵌込側ハウジングから外れてしまうと両ハウジングの嵌合操作に大きな支障を来すため、スライドレバーが初期位置にある状態では、離脱規制用ストッパと突起は強固に係止させる必要がある。一方、嵌合位置のスライドレバーは、両ハウジングを離脱する際に初期位置へ移動させる必要があるため、嵌合状態保持用ストッパと突起との係止はセミロック状態にすることが好ましい。しかしながら、１つの突起を離脱規制用ストッパと嵌合状態保持用ストッパとに係止させているため、初期位置と嵌合位置の双方において、両ストッパの係止力を適正に設定することは困難であった。
【０００６】
初期位置と嵌合位置の双方において両ストッパの係止力が適正になるようにするための手段としては、互いに形状や大きさの異なる初期位置用の突起と嵌合位置用の突起とを別々に形成すればよいのであるが、２つの突起を形成すると、スライドレバーの形状が複雑になってしまう。
【０００７】
本発明は上記のような事情に基づいて完成されたものであって、操作部材の形状を複雑にすることなく、操作部材を仮係止位置と嵌合位置の両方において適正な力で保持できるようにすることを目的とする。
【課題を解決するための手段】
【０００８】
本発明は、
ハウジングと、
前記ハウジングに対しスライドさせながら取り付けられ、取付け経路において仮係止位置と前記仮係止位置よりも取付け方向前方の本係止位置との間でスライド可能な操作部材とを備え、
前記ハウジングには、仮係止用ストッパと本係止用ストッパが形成され、
前記操作部材には、仮係止用接触面と本係止用接触面とを有する単一の引掛部が形成され、
前記仮係止用接触面は、前記操作部材のスライド方向に対して鋭角をなし、前記仮係止用ストッパと接触することで前記仮係止位置の前記操作部材が前記ハウジングから離脱する方向へ移動するのを規制し、
前記本係止用接触面は、前記操作部材のスライド方向に対して鈍角をなし、前記本係止用ストッパに対してセミロック状態で接触することで前記本係止位置の前記操作部材が前記仮係止位置側へ移動するのを抑制することを特徴とする。
【発明の効果】
【０００９】
仮係止位置にある操作部材は、仮係止用ストッパと仮係止用接触面との接触によりハウジングから離脱する方向への移動を規制される。仮係止用接触面は、操作部材のスライド方向、即ちハウジングに対する操作部材の取付け方向に対して鋭角をなしているので、係止力が高い。本係止位置の操作部材は、本係止用ストッパと本係止用接触面との接触により本係止位置に保持される。本係止用ストッパと本係止用接触面はセミロック状態で接触するので、操作部材に所定の操作力を付与すれば本係止位置の操作部材を仮係止位置側へスライドさせることができる。仮係止用接触面と本係止用接触面を単一の引掛部に形成したので、操作部材の部材の形状を簡素化することができる。
【図面の簡単な説明】
【００１０】
【図１】実施例１のコネクタを構成するハウジングの正面図
【図２】図１のＸ−Ｘ線断面図
【図３】スライドレバーが仮係止位置に保持されている状態をあらわすＸ−Ｘ線相当断面図
【図４】図３の部分拡大図
【図５】スライドレバーが本係止位置に保持されている状態をあらわすＸ−Ｘ線相当断面図
【図６】図５の部分拡大図
【図７】スライドレバーの側面図
【図８】スライドレバーの背面図
【図９】コネクタと相手側コネクタの嵌合を開始した状態をあらわす側断面図
【図１０】コネクタと相手側コネクタが嵌合した状態をあらわす側断面図
【発明を実施するための形態】
【００１１】
本発明は、前記仮係止用ストッパが、前記操作部材のスライド方向に対して鈍角をなし、前記仮係止用接触面に対して面当たり状態で接触可能であってもよい。この構成によれば、仮係止用ストッパと仮係止用接触面との係止力が高められるので、操作部材がハウジングから離脱することを確実に防止することができる。
【００１２】
本発明は、前記引掛部が、前記操作部材のスライド方向と交差する方向へ突出した形状をなし、前記ハウジングには、内面に前記仮係止用ストッパを有する仮係止用凹部と、内面に前記本係止用ストッパを有する本係止用凹部とが形成されていてもよい。この構成によれば、操作部材が仮係止位置にある状態では、引掛部が仮係止用凹部に接触することにより、操作部材が本係止位置側へ移動することを規制できる。操作部材が本係止位置にある状態では、引掛部が本係止用凹部に接触することにより、操作部材が仮係止位置とは反対側へ移動することを規制できる。
【００１３】
本発明は、前記本係止用接触面が、前記引掛部の突出方向において前記仮係止用接触面よりも突出方向先端側に配されており、前記ハウジングにおける前記操作部材との対向面のうち前記仮係止用凹部と前記本係止用凹部との間の領域は、前記操作部材における前記引掛部の形成面に対して移動許容空間を空けて対向していてもよい。この構成によれば、操作部材が仮係止位置と本係止位置との間でスライドする際に、引掛部と、ハウジングにおける操作部材との対向面との間の摩擦抵抗が低減される。
【００１４】
本発明は、前記操作部材が、前記取付け経路において前記仮係止位置と前記本係止位置との間でスライドすることで倍力機能を発揮するスライドレバーであってもよい。
【００１５】
＜実施例１＞
以下、本発明を具体化した実施例１を図１〜図１０を参照して説明する。尚、以下の説明において、前後の方向については、図２〜６における右方を前方と定義する。上下の方向については、図１〜１０にあらわれる向きを、そのまま上方、下方と定義する。
【００１６】
本実施例１の雌側コネクタＦ（請求項に記載のコネクタ）は、合成樹脂製のハウジング１０と、合成樹脂製のスライドレバー２５（請求項に記載の操作部材）とを備えて構成されている。図９，１０に示すように、ハウジング１０は、フレーム１１と、複数の雌端子金具１３が収容されたサブコネクタ１２とを備えて構成され、前後寸法及び左右寸法に比べて上下寸法の大きいブロック状をなしている。
【００１７】
スライドレバー２５は、ハウジング１０の上方からハウジング１０に組み付けられる。組付け過程において、スライドレバー２５はハウジング１０に対して下向きにスライド（平行移動）する。ハウジング１０に取り付けられたスライドレバー２５は、仮係止位置（図３，４を参照）と、仮係止位置より下方の本係止位置（図５，６を参照）との間で、組付け方向と平行にスライドし得るようになっている。
【００１８】
雌側コネクタＦを相手側の雄側コネクタＭと嵌合する際には、スライドレバー２５を仮係止位置（初期位置）に保持した状態で両コネクタＦ，Ｍを浅く嵌合する。その後、スライドレバー２５を本係止位置（嵌合位置）へスライドさせると、倍力機能が発揮され、小さい操作力だけで両コネクタＦ，Ｍを嵌合させることができる。
【００１９】
スライドレバー２５が本係止位置に到達すると、両コネクタＦ，Ｍの嵌合が完了する。スライドレバー２５が仮係止位置から本係止位置へ移動する方向は、ハウジング１０に対するスライドレバー２５の組付け方向と同じ向きである。スライドレバー２５が本係止位置から仮係止位置へ移動する方向は、スライドレバー２５がハウジング１０から離脱するときの移動方向と同じ向きである。
【００２０】
フレーム１１（ハウジング１０）には、フレーム１１の上面に開口する左右一対のガイド空間１４が形成されている。フレーム１１の上面におけるガイド空間１４の開口形状は、左右寸法に比べて前後寸法の多いスリット状をなす。ガイド空間１４の内面は、互いに平行をなして前後方向に対向する前側対向面１５と後側対向面１６（請求項に記載のハウジングにおける操作部材との対向面）とを有している。前側対向面１５は、上下方向に一直線状に延び、ガイド空間１４の上端から下端まで連続している。
【００２１】
後側対向面１６は、上部対向面１７と、上部対向面１７の下方に間隔を空けて並ぶ中間対向面１８（請求項に記載の仮係止用凹部と本係止用凹部との間の領域）と、中間対向面１８の下方に間隔を空けて並ぶ下部対向面１９とから構成されている。
【００２２】
図２に示すように、上部対向面１７と前側対向面１５の前後方向の対向間隔をＤａとし、中間部対向面と前側対向面１５の前後方向の対向間隔をＤｂとし、下部対向面１９と前側対向面１５の前後方向の対向間隔をＤｃとする。これらの対向間隔Ｄａ，Ｄｂ，Ｄｃの寸法は、Ｄａ＞Ｄｂ＝Ｄｃである。但し、ＤａとＤｂ及びＤｃとの寸法差は、僅かである。
【００２３】
フレーム１１のうち後側対向面１６を構成する壁部には、ガイド空間１４に開口する仮係止用凹部２０と本係止用凹部２３が形成されている。仮係止用凹部２０は、上部対向面１７の下端と中間対向面１８の上端との間に配されている。本係止用凹部２３は、中間対向面１８の下端と下部対向面１９の上端との間に配されている。
【００２４】
図４に示すように、仮係止用凹部２０を構成する上下２つの内面のうち上側の内面は、仮係止用ストッパ２１として機能する。仮係止用ストッパ２１は、後述するスライドレバー２５のスライド方向（前側対向面１５及び後側対向面１６の長さ方向）に対して直角に近い斜め角度をなしている。仮係止用ストッパ２１の前端縁２１Ｆ（ガイド空間１４への開口縁）は、仮係止用ストッパ２１の後端縁２１Ｒよりも低い位置にある。したがって、上部対向面１７と仮係止用ストッパ２１とのなす角度αは直角に近い鋭角である。仮係止用凹部２０を構成する上下２つの内面のうち下側の内面は、仮保持部２２として機能する。仮保持部２２は、スライドレバー２５のスライド方向と直角をなしている。
【００２５】
図６に示すように、本係止用凹部２３を構成する上下２つの内面のうち上側の内面は、本係止用ストッパ２４として機能する。本係止用ストッパ２４は、スライドレバー２５のスライド方向（前側対向面１５及び後側対向面１６の長さ方向）に対して直角をなしている。本係止用ストッパ２４の前端縁２４Ｆは、前後方向（スライドレバー２５のスライド方向と直交する方向）において、仮係止用ストッパ２１の前端縁２１Ｆよりも後方の位置、即ちガイド空間１４に対して後退した位置にある。
【００２６】
図７，８に示すように、スライドレバー２５は、左右一対のアーム部２６と、一対のアーム部２６の上端部同士を連結した形態の操作部２７とを有する単一部材である。アーム部２６は、板厚方向を左右方向に向けた略平版状をなし、全体として上下方向（スライドレバー２５のスライド方向と平行な方向）に長い形状である。アーム部２６には、スライド方向に対して斜め方向に延びる上下一対のカム溝２８が形成されている。スライドレバー２５を仮係止位置と本係止位置との間でスライドさせる過程では、図３，５に示すように、カム溝２８と雄側コネクタＭのカムフォロア３８とが摺接することにより倍力機能が発揮される。
【００２７】
アーム部２６の前側縁部には、スライドレバー２５のスライド方向と平行な前側摺接面２９が形成され、アーム部２６の後側端部には、スライドレバー２５のスライド方向と平行な後側摺接面３０が形成されている。アーム部２６の後側縁部のうち上下方向における中間部分には、上下方向に細長く延びた形状であって、アーム部２６に対して両持ち状態で支持された弾性撓み部３１が形成されている。弾性撓み部３１は、上下両端部を支点として前後方向に湾曲するような形態で弾性変形し得るようになっている。
【００２８】
弾性撓み部３１の上下方向における略中央部には、弾性撓み部３１の後側外面３２（請求項に記載の操作部材における引掛部の形成面）から後方へ突出した形態の引掛部３３が形成されている。引掛部３３の下面は、仮保持用接触面３４となっている。仮保持用接触面３４は、後側外面３２に対して鈍角をなして連なり、スライドレバー２５が仮係止位置から本係止位置へ移動する方向と同じ方向に面している。
【００２９】
引掛部３３の上面には、仮係止用接触面３５と本係止用接触面３６とが、前後方向（ハウジング１０に対するスライドレバー２５のスライド方向と直交し、且つ弾性撓み部３１が弾性変位する方向と直交する方向）に隣接するように形成されている。仮係止用接触面３５と本係止用接触面３６は、ハウジング１０に対するスライドレバー２５の取付け方向とは逆方向（スライドレバー２５がハウジング１０から離脱する方向）に面している。
【００３０】
仮係止用接触面３５は、引掛部３３の突出方向における基端部に配されている。仮係止用接触面３５は、後側外面３２（ハウジング１０に対するスライドレバー２５のスライド方向）に対して直角に近い鋭角をなして連なっている。後側外面３２と仮係止用接触面３５とがなす角度αは、上部対向面１７と仮係止用ストッパ２１とがなす角度αと同じ角度である。
【００３１】
本係止用接触面３６は、引掛部３３の突出方向における先端部に配されており、本係止用接触面３６と後側外面３２との間には仮係止用接触面３５が介在している。本係止用接触面３６は、後側外面３２に対して鈍角をなしている。仮係止用接触面３５と本係止用接触面３６は、鈍角をなして連なっている。
【００３２】
スライドレバー２５をハウジング１０に取り付ける際には、ハウジング１０の上方から両アーム部２６を両ガイド空間１４内に挿入し、前側摺接面２９を前側対向面１５に摺接させるとともに、後側摺接面３０を後側対向面１６（上部対向面１７）に摺接させながら、スライドレバー２５をスライドさせる。
【００３３】
ハウジング１０に対しスライドレバー２５を仮係止位置に取り付けた状態では、図３，４に示すように、引掛部３３が仮係止用凹部２０に収容される。この状態でスライドレバー２５を上方へ移動させてハウジング１０から離脱させようとすると、仮係止用接触面３５が、仮係止用ストッパ２１の前端部に対し面当たり状態で上向きに接触する（突き当たる）。これにより、スライドレバー２５の上方への移動が規制される。
【００３４】
しかも、仮係止用接触面３５と仮係止用ストッパ２１は、後側外面３２に対して鋭角をなしているので、スライドレバー２５が上方へ移動しようとすると、上部対向面１７の下端部と仮係止用ストッパ２１の前端部とによって構成される角部が、後側外面３２と仮係止用接触面３５とによって構成される凹部に食い込むようになる。この食い込み動作により、仮係止用ストッパ２１に対する仮係止用接触面３５との前後方向の接触代（係止代）が増大する。したがって、仮係止位置のスライドレバー２５がハウジング１０から離脱することを、確実に防止することができる。
【００３５】
また、引掛部３３が仮係止用凹部２０に収容された状態では、仮保持用接触面３４が仮保持部２２の前端縁に対して下向きに接触する（突き当たる）ことによりセミロック状態となり、仮係止位置のスライドレバー２５が本係止位置側へ移動することを規制される。これにより、スライドレバー２５が仮係止位置に保持される。
【００３６】
操作部２７に対して、仮保持用接触面３４と仮保持部２２との係止力を上回る下向きの操作力を付与すると、スライドレバー２５は、弾性撓み部３１を前方（後側対向面１６から遠ざかる方向）へ弾性変位させながら、本係止位置側へ移動する。移動の過程では、引掛部３３の突出端部（後端部）が中間対向面１８に摺接するため、引掛部３３と中間対向面１８との間で摩擦抵抗が生じる。ここで、スライドレバー２５が仮係止位置に保持されている状態では、スライドレバー２５の後側外面３２のうち引掛部３３より下方の領域と、中間対向面１８との間に、移動許容空間３７が確保されている。したがって、移動許容空間３７が形成されていない場合に比べると、弾性撓み部３１の弾性変位量が少なくて済み、その分、引掛部３３と中間対向面１８との間の摩擦抵抗が低減されている。
【００３７】
スライドレバー２５が嵌合位置に到達すると、図５，６に示すように、弾性撓み部３１が弾性復帰して引掛部３３が本係止用凹部２３に収容される。この状態でスライドレバー２５を上方へ移動させて仮係止位置へ戻そうとすると、本係止用接触面３６が、本係止用ストッパ２４の前端縁に対し線接触状態で上向きに接触する（突き当たる）。本係止用接触面３６が本係止用ストッパ２４に突き当たることにより、スライドレバー２５は、仮係止位置への移動が規制され、本係止位置に保持される。
【００３８】
本係止用接触面３６と本係止用ストッパ２４との係止力を上回る上向きの操作力を操作部２７（スライドレバー２５）に付与すると、スライドレバー２５は、弾性撓み部３１を前方へ弾性変位させながら、本係止位置側へ移動する。移動の過程では、引掛部３３の突出端部（後端部）が中間対向面１８に摺接するのであるが、上述のように後側外面３２と中間対向面１８との間には移動許容空間３７が確保されているので、引掛部３３と中間対向面１８との間の摩擦抵抗が低減されている。スライドレバー２５が仮係止位置に到達すると、弾性撓み部３１が弾性復帰して引掛部３３が仮係止用凹部２０に収容される。
【００３９】
スライドレバー２５が仮係止位置に保持されている状態と本係止位置に保持されている状態とを比較する。仮係止位置においては、スライドレバー２５がハウジング１０から上方へ離脱するのを防止する手段として、逆テーパ状をなす仮係止用接触面３５を仮係止用ストッパ２１に係止させている。これに対し、本係止位置においては、スライドレバー２５が上方の仮係止位置側へ移動するのを防止する手段として、順テーパ状をなす本係止用接触面３６を本係止用ストッパ２４に係止させている。したがって、仮係止用ストッパ２１と仮係止用接触面３５との係止力は、本係止用接触面３６と本係止用ストッパ２４との係止力よりも大きい。
【００４０】
上述のように、本実施例１の雌側コネクタＦは、スライドレバー２５の形状を複雑にすることなく、スライドレバー２５を仮係止位置と嵌合位置の両方において適正な力で保持できるようにすることを可能にするものである。具体的には、雌側コネクタＦは、ハウジング１０と、ハウジング１０に対して取付け可能なスライドレバー２５とを備えて構成されている。スライドレバー２５は、ハウジング１０に対しスライドさせながら取り付けられ、取付け経路において仮係止位置と、仮係止位置よりも取付け方向前方（下方）の本係止位置との間でスライド可能である。スライドレバー２５は、取付け経路において仮係止位置と前記本係止位置との間でスライドすることで倍力機能を発揮する。
【００４１】
ハウジング１０には、仮係止用ストッパ２１と本係止用ストッパ２４が形成されている。スライドレバー２５には、仮係止用接触面３５と本係止用接触面３６とを有する単一の引掛部３３が形成されている。仮係止用接触面３５は、スライドレバー２５のスライド方向に対して鋭角をなし、仮係止用ストッパ２１と接触することで仮係止位置のスライドレバー２５がハウジング１０から離脱する方向へ移動するのを規制する。本係止用接触面３６は、スライドレバー２５のスライド方向に対して鈍角をなし、本係止用ストッパ２４に対してセミロック状態で接触することで本係止位置のスライドレバー２５が仮係止位置側へ移動するのを抑制する。
【００４２】
上記構成によれば、仮係止位置にあるスライドレバー２５は、仮係止用ストッパ２１と仮係止用接触面３５との接触によりハウジング１０から離脱する方向への移動を規制される。仮係止用接触面３５は、スライドレバー２５のスライド方向、即ちハウジング１０に対するスライドレバー２５の取付け方向に対して鋭角をなしているので、比較的係止力が高い。本係止位置のスライドレバー２５は、本係止用ストッパ２４と本係止用接触面３６との接触により本係止位置に保持される。
【００４３】
本係止用ストッパ２４と本係止用接触面３６はセミロック状態で接触するので、スライドレバー２５に所定の操作力を付与すれば本係止位置のスライドレバー２５を仮係止位置側へスライドさせることができる。本実施例１の雌側コネクタＦは、仮係止用接触面３５と本係止用接触面３６を単一の引掛部３３に形成したので、スライドレバー２５の部材の形状を簡素化することができる。
【００４４】
また、仮係止用ストッパ２１は、スライドレバー２５のスライド方向に対して鈍角をなし、仮係止用接触面３５に対して面当たり状態で接触可能である。この構成によれば、仮係止用ストッパ２１と仮係止用接触面３５との係止力が高められるので、スライドレバー２５がハウジング１０から離脱することを確実に防止することができる。
【００４５】
また、引掛部３３は、弾性撓み部３１の後側外面３２からスライドレバー２５のスライド方向と交差する方向（後方）へ突出した形状をなす。ハウジング１０には、内面に仮係止用ストッパ２１を有する仮係止用凹部２０と、内面に本係止用ストッパ２４を有する本係止用凹部２３とが形成されている。この構成によれば、スライドレバー２５が仮係止位置にある状態では、引掛部３３が仮係止用凹部２０に接触することにより、スライドレバー２５が本係止位置側へ移動することを規制できる。スライドレバー２５が本係止位置にある状態では、引掛部３３が本係止用凹部２３に接触することにより、スライドレバー２５が仮係止位置とは反対側へ移動することを規制できる。
【００４６】
また、本係止用接触面３６は、引掛部３３の突出方向（前後方向）において仮係止用接触面３５よりも突出方向先端側に配されている。仮係止用ストッパ２１は、仮係止用接触面３５だけでなく、本係止用接触面３６に対しても上下方向に対向しているので、前後方向（弾性撓み部３１の弾性変位方向）における引掛部３３と仮係止用ストッパ２１と対向領域が、比較的大きい。したがって、引掛部３３と仮係止用ストッパ２１との係止状態を解除するためには、弾性撓み部３１の弾性変位量を比較的大きくしなければならない。
【００４７】
これに対し本係止用ストッパ２４は、本係止用接触面３６に対して上下方向に対向しているが、仮係止用接触面３５とは対向していない。したがって、前後方向における引掛部３３と本係止用ストッパ２４との対向領域は、仮係止用ストッパ２１と引掛部３３との対向領域に比べて小さい。したがって、スライドレバー２５が仮係止位置にある状態では、スライドレバー２５がハウジング１０から離脱することを確実に防止しながら、スライドレバー２５が本係止位置にある状態では仮係止位置へ戻す操作を比較的容易に実現できるようになっている。
【００４８】
また、ハウジング１０におけるスライドレバー２５との対向面（後側対向面１６）のうち仮係止用凹部２０と本係止用凹部２３との間の領域（中間対向面１８）は、スライドレバー２５における引掛部３３の形成面（後側外面３２）に対して移動許容空間３７を空けて対向している。この構成によれば、スライドレバー２５が仮係止位置と本係止位置との間でスライドする際に、引掛部３３と後側対向面１６（中間対向面１８）との間の摩擦抵抗が低減される。
【００４９】
＜他の実施例＞
本発明は上記記述及び図面によって説明した実施例に限定されるものではなく、例えば次のような実施例も本発明の技術的範囲に含まれる。
（１）上記実施例１では、操作部材が、取付け経路において仮係止位置（初期位置）と本係止位置（嵌合位置）との間でスライドすることで倍力機能を発揮するスライドレバーであるが、操作部材は、ハウジングに対する端子金具の挿抜を許容する仮係止位置と、ハウジングに挿入した端子金具を抜止めする本係止位置との間でスライドするリテーナであってもよい。
（２）上記実施例１では、仮係止用ストッパが仮係止用接触面に対して面当たり状態で接触可能であるが、仮係止用ストッパと仮係止用接触面は線接触又は点接触するようになっていてもよい。
（３）上記実施例１では、本係止用ストッパが本係止用接触面に対して線接触状態又は点接触状態で接触可能であるが、本係止用ストッパと本係止用接触面は面接触するようになっていてもよい。
（４）上記実施例１では、弾性撓み部がアーム部に両持ち支持形態で形成されているが、弾性撓み部はアーム部から片持ち状に延出した片持ち支持形態であってもよい。
【符号の説明】
【００５０】
Ｆ…雌側コネクタ（コネクタ）
１０…ハウジング
１６…後側対向面（ハウジングにおける操作部材との対向面）
１８…中間対向面（仮係止用凹部と本係止用凹部との間の領域）
２０…仮係止用凹部
２１…仮係止用ストッパ
２３…本係止用凹部
２４…本係止用ストッパ
２５…スライドレバー（操作部材）
３２…後側外面（操作部材における引掛部の形成面）
３３…引掛部
３５…仮係止用接触面
３６…本係止用接触面
３７…移動許容空間
【図１】
2020102334.tif 000003
【図２】
2020102334.tif 000004
【図３】
2020102334.tif 000005
【図４】
2020102334.tif 000006
【図５】
2020102334.tif 000007
【図６】
2020102334.tif 000008
【図７】
2020102334.tif 000009
【図８】
2020102334.tif 000010
【図９】
2020102334.tif 000011
【図１０】
2020102334.tif 000012